(57)【要約】【課題】手摺りを取付ブラケットに取付ける取付作業の容易化を図る。【解決手段】壁２に取付ける取付ブラケット３Ａ，３Ｂと、取付ブラケット３Ａ，３Ｂに取付ける手摺り４とを備え、手摺り４は手摺長手方向Ａに沿って設けた係合溝２１を備え、係合溝２１は手摺長手方向Ａに直交する方向に開口する開口溝２２を備え、取付ブラケット３Ａ，３Ｂは、開口溝２２から係合溝２１に挿入される固定部材３２と、手摺り４に接当することにより該手摺り４に対する取付ブラケット３Ａ，３Ｂの固定部材挿入方向Ｅへの移動を規制する規制部２９ａとを備え、固定部材３２は、係合溝２１に挿入した後に回動することにより係合溝２１内に設けられた係合面１２ａに係合して係合溝２１からの反挿入方向への抜け止めがなされ、且つ、固定部材３２を反挿入方向へ移動させて係合面１２ａに押付けることにより手摺り４を取付ブラケット３Ａ，３Ｂに固定する。【選択図】図６
2010209612.tif 000002
【特許請求の範囲】
【請求項１】
壁（２）に取り付けられる取付ブラケット（３Ａ，３Ｂ）と、この取付ブラケット（３Ａ，３Ｂ）に取り付けられる手摺り（４）とを備え、
前記手摺り（４）は手摺長手方向（Ａ）に沿って設けられた係合溝（２１）を備え、この係合溝（２１）は手摺長手方向（Ａ）に直交する方向に開口する開口溝（２２）を備え、
前記取付ブラケット（３Ａ，３Ｂ）は、前記開口溝（２２）から前記係合溝（２１）に挿入される固定部材（３２）と、手摺り（４）に接当することにより該手摺り（４）に対する取付ブラケット（３Ａ，３Ｂ）の固定部材挿入方向（Ｅ）への移動を規制する規制部（２９ａ）とを備え、
前記固定部材（３２）は、回動自在とされていて係合溝（２１）に挿入した後に回動することにより係合溝（２１）内に設けられた係合面（１２ａ）に係合して係合溝（２１）からの反挿入方向への抜け止めがなされ、且つ、該固定部材（３２）は反挿入方向へ移動自在とされていて該固定部材（３２）を反挿入方向へ移動させて係合面（１２ａ）に押し付けることにより手摺り（４）が取付ブラケット（３Ａ，３Ｂ）に固定されるよう構成されていることを特徴とする手摺り装置。
【請求項２】
前記固定部材（３２）は挿入方向（Ｅ）の軸心を有するネジ孔（３９）を有し、前記取付ブラケット（３Ａ，３Ｂ）は、固定部材（３２）を支持する支持部（３０）と、該支持部（３０）を貫通して固定部材（３２）の前記ネジ孔（３９）に螺合される固定ネジ（３１）とを有し、前記固定部材（３２）は、係合溝（２１）に挿入した後に固定ネジ（３１）をネジ込み方向（Ｄ）に回動することにより回動すると共に係合溝（２１）内面に接当して前記ネジ込み方向（Ｄ）の回動が規制され、この固定部材（３２）の前記ネジ込み方向（Ｄ）の回動が規制された状態で、さらに固定ネジ（３１）をネジ込み方向（Ｄ）に回動することにより固定部材（３２）が係合面（１２ａ）に押し付けられるよう構成されていることを特徴とする請求項１に記載の手摺り装置。
【発明の詳細な説明】
【技術分野】
【０００１】
本発明は、手摺り装置に関するものである。
【背景技術】
【０００２】
従来、建物等の壁に取り付けられる取付ブラケットと、この取付ブラケットに取り付けられる手摺りとを備えた手摺り装置であって、前記手摺りが、芯材と該芯材を被覆する樹脂製のカバーとから構成された手摺り装置がある。
この種の手摺り装置を壁に取り付けるのに、取付ブラケットを壁に取付固定した後に取付ブラケットに手摺りの芯材を固定し、その後、樹脂製のカバーをバーナー等の熱によって軟化させて芯材に取り付けるという施工方法があるが、この施工方法では、カバーを芯材に取り付ける作業が現場作業となり、現場での手摺り装置の取付作業が大変であるという問題があった。
【０００３】
そこで、芯材にカバーを取り付けた状態の手摺りを現場にて取付ブラケットに取り付け得るように構成されている手摺り装置がある(特許文献１参照)。
この特許文献１に記載の手摺り装置は、手摺りは手摺長手方向に沿って設けられた係合溝を備え、この係合溝は長手方向端部が開口状とされると共に、手摺長手方向に直交する方向で且つ下方に向けて開口する開口溝を備えており、また、取付ブラケットは、前記係合溝に長手方向にスライド自在に内嵌される固定部材を備え、この固定部材には該固定部材に下方側からねじ込まれたスライド固定ネジが設けられている。
【０００４】
この手摺り装置にあっては、取付ブラケットの固定部材を手摺りの長手方向の端部から係合溝内に挿入し、該固定部材を係合溝内部の所望位置に移動させ、該所望位置にて固定ネジをねじ込むことにより、固定ネジの先端が係合溝の上面に接当すると共に固定部材が係合溝の下面に押し付けられることにより取付ブラケットに手摺りが固定される。
【先行技術文献】
【特許文献】
【０００５】
【特許文献１】特開平９−１５１５８８号公報
【発明の概要】
【発明が解決しようとする課題】
【０００６】
前記従来の手摺り装置にあっては、取付ブラケットの固定部材を手摺りの長手方向の端部から係合溝内に挿入し、該固定部材を固定したい位置にまで移動させなければならず、手摺りが非常に長いと、手摺りの取付ブラケットに対する取付作業が面倒であるという問題がある。
そこで、本発明は、前記問題点に鑑み、手摺りを取付ブラケットに取り付ける取付作業の容易化を図った手摺り装置を提供することを目的とする。
【課題を解決するための手段】
【０００７】
前記技術的課題を解決するために本発明が講じた技術的手段は、壁に取り付けられる取付ブラケットと、この取付ブラケットに取り付けられる手摺りとを備え、
前記手摺りは手摺長手方向に沿って設けられた係合溝を備え、この係合溝は手摺長手方向に直交する方向に開口する開口溝を備え、
前記取付ブラケットは、前記開口溝から前記係合溝に挿入される固定部材と、手摺りに接当することにより該手摺りに対する取付ブラケットの固定部材挿入方向への移動を規制する規制部とを備え、
前記固定部材は、回動自在とされていて係合溝に挿入した後に回動することにより係合溝内に設けられた係合面に係合して係合溝からの反挿入方向への抜け止めがなされ、且つ、該固定部材は反挿入方向へ移動自在とされていて該固定部材を反挿入方向へ移動させて係合面に押し付けることにより手摺りが取付ブラケットに固定されるよう構成されていることを特徴とする。
【０００８】
また、前記固定部材は挿入方向の軸心を有するネジ孔を有し、前記取付ブラケットは、固定部材を支持する支持部と、該支持部を貫通して固定部材の前記ネジ孔に螺合される固定ネジとを有し、前記固定部材は、係合溝に挿入した後に固定ネジをネジ込み方向に回動することにより回動すると共に係合溝内面に接当して前記ネジ込み方向の回動が規制され、この固定部材の前記ネジ込み方向の回動が規制された状態で、さらに固定ネジをネジ込み方向に回動することにより固定部材が係合面に押し付けられるよう構成されているのがよい。
【発明の効果】
【０００９】
本発明によれば、取付ブラケットに手摺りを固定するための固定部材を、手摺りの係合溝内に、手摺り長手方向に直交する方向に開口する開口溝から挿入させることができるので、手摺りを取付ブラケットに手摺長手方向の所望位置で容易に取り付けることができる。
【図面の簡単な説明】
【００１０】
【図１】手摺り装置の側面図である。
【図２】角度可変型取付ブラケットの斜視図である。
【図３】角度可変型取付ブラケットの側面図である。
【図４】（ａ）は角度可変型取付ブラケットの底面図、（ｂ）は角度可変型取付ブラケットの正面図、（ｃ）は角度可変型取付ブラケットの平面図である。
【図５】本体手摺りの取付ブラケットに対する固定部分の側面断面図である。
【図６】本体手摺りの取付ブラケットに対する固定部分の正面断面図である。
【図７】取付ブラケットの固定機構を示す平面図である。
【図８】（ａ）は角度不変型の取付ブラケットの平面図、（ｂ）は角度不変型の取付ブラケットの正面図、（ｃ）は角度不変型の取付ブラケットの側面図である。
【図９】（ａ）は連結手摺りの平面図、（ｂ）は連結手摺りの側面断面図である。
【図１０】（ａ）は連結手摺りの正面図、（ｂ）は図９（ｂ）のＦ−Ｆ線矢視断面図である。
【図１１】（ａ）は連結手摺りの連結部分の側面断面図、（ｂ）は連結手摺りの連結部分の正面断面図である。
【発明を実施するための形態】
【００１１】
以下、本発明の実施の形態を図面を参照して説明する。
図１において、１は建物等の壁２に設けられる手摺り装置であり、該手摺り装置１は、壁２に取り付けられる取付ブラケット３Ａ，３Ｂと、この取付ブラケット３Ａ，３Ｂに取り付けられる手摺り４（ハンドレール）とを備えている。
前記手摺り４は、該手摺り４の本体部分となる本体手摺り５と、該本体手摺り５同士を連結する連結手摺り６と、本体手摺り５と連結手摺り６とのジョイント部分を覆うジョイントカバー７とを有する。
【００１２】
図１，図５，図６に示すように、本体手摺り５は、アルミニウム合金等の金属製の押出形材等からなる硬質の芯材８と、この芯材８を被覆する樹脂製のカバー９（笠木）とから構成されている。
この本体手摺り５の芯材８は、手摺長手方向Ａと上下方向とに直交する方向（この方向を左右方向という）で対向配置された左右一対の側壁１０と、この左右側壁１０の上端部同士を連結する上壁１１と、各側壁１０の下端側から対向側に延出された左右一対の下壁１２と、各側壁１０と上壁１１とのコーナー部分及び各側壁１０と各下壁１２とのコーナー部分に形成されたカバー接当壁１３とを有する。
【００１３】
前記芯材８は、内部に手摺長手方向Ａに沿った溝１４を有し、この溝１４は、左右側壁１０間の主溝部１５と、上壁１１の下面から上方側に向けて凹設された凹溝１６と、左右下壁１２間の溝開口部１７とから構成されていて、下方側に向けて開口している。
前記凹溝１６と溝開口部１７の溝幅Ｗ１（左右幅）は同幅に形成されており、主溝部１５の溝幅Ｗ２（左右幅）は溝開口部１７の溝幅Ｗ１よりも広幅に形成されている。
また、各カバー接当壁１３の外面形状は、手摺長手方向Ａに直交する断面において円弧状とされている。
【００１４】
本体手摺り５のカバー９は、円筒形の周方向の一部分を軸方向にわたって切り欠いてなる切欠溝１８が形成された一部切欠円筒状に形成されている。
また、この本体手摺り５のカバー９は、切欠溝１８が芯材８の溝開口部１７と連通するように且つ内面が芯材８の各コーナー接当壁２の外面に密接するように芯材８に外嵌されている。
また、このカバー９の切欠溝１８の溝幅Ｗ３は芯材８の溝開口部１７の溝幅Ｗ１よりも広幅に形成されている。
【００１５】
また、このカバー９の切欠溝１８の両側部分には、内側（上側）に向けて延出されていて芯材８の下側のコーナー接当壁２に掛合することにより芯材８に対するカバー９の外れ止めをする左右一対の引掛け部１９を有する。
前記芯材８の溝１４とカバー９の切欠溝１８とで手摺り４（本体手摺り５）の係合溝２１が構成され、この係合溝２１は手摺長手方向Ａに直交する方向に開口する開口溝２２を有し、この開口溝２２が芯材８の溝開口部１７とカバー９の切欠溝１８とで構成されている。
【００１６】
図１〜図８に示すように、前記取付ブラケット３Ａ，３Ｂは、本体手摺り５を支持するものであって、ボルト等によって壁２に取り付けられる被取付部２３と、本体手摺り５が取り付けられる手摺取付部２４と、前記被取付部２３と前記手摺取付部２４とを連結する連結部２５と、前記被取付部２３を覆うブラケットカバー２６とを有する。
この取付ブラケット３Ａ，３Ｂは、手摺取付部２４が壁２の壁面（被取付部２３の取付面）に直交する方向の回動軸芯Ｘ回り（左右方向の回動軸芯Ｘ回り）に角度調整可能とされた角度可変型の取付ブラケット３Ａ（これを第１取付ブラケット３Ａという）と、手摺取付部２４が連結部２５に固定された角度不変型の取付ブラケット３Ｂ（これを第２取付ブラケット３Ｂという）とがある。
【００１７】
連結部２５は被取付部２３の上部から一体的に延出され、被取付部２３との接続部分とは反対側に基部取付部２７を有する。
第１取付ブラケット３Ａの手摺取付部２４は、連結部２５の基部取付部２７に回動軸芯Ｘ回りに角度調整自在に取り付けられた基部２８と、該基部２８の上部から上方側に延出された芯材受け部２９と、該芯材受け部２９の下部から手摺長手方向Ａ両側に延出された一対の支持部３０と、各支持部３０に固定ネジ３１を介して取り付けられた固定部材３２とを有する。
【００１８】
この手摺取付部２４の基部２８は、連結部２５の基部取付部２７の左右方向裏面側に重ね合わされると共に、基部取付部２７の左右方向表面側から、これら基部取付部２７及び基部２８を左右方向で貫通する角度固定ネジ３３と該角度固定ネジ３３に螺合された角度固定ナット３４との締結によって基部取付部２７に取り付けられており、角度固定ネジ３３の軸心が回動軸心Ｘとされている。
前記角度固定ネジ３３と角度固定ナット３４との締結を緩めると基部２８の回動軸心Ｘ回りの回動が許容され、角度固定ネジ３３を締め付けると基部２８が基部取付部２７に回動不能に固定される。
【００１９】
したがって、この第１取付ブラケット３Ａによって、本体手摺り５を水平に対して所望の傾斜角度で取り付けることができる。
芯材受け部２９は、開口溝２２から係合溝２１内に挿入されていて、その上面２９ａが本体手摺り５の芯材８の凹溝１６の溝底１６ａ（係合溝２１の上面）に接当しており、これによって、本体手摺り５の第１取付ブラケット３Ａに対する下方移動が規制されている。
また、この芯材受け部２９の手摺長手方向Ａの両側部分の、芯材８の溝開口部１７及び凹溝１６に挿通される部分の左右幅は、芯材８の溝開口部１７及び凹溝１６の溝幅Ｗ１と略同幅に形成されている。
【００２０】
支持部３０は、係合溝２１の開口溝２２に挿入され、上部が芯材８の溝開口部１７に挿入されている。
また、この支持部３０の上部の左右幅は芯材８の溝開口部１７の溝幅Ｗ１と略同幅に形成されており、支持部３０の下部は、左右幅が下方側に行くに従って漸次広幅となるように形成されている。
前記芯材受け部２９及び支持部３０によって、第１取付ブラケット３Ａに対する本体手摺り５の左右移動が規制される。
【００２１】
左右各支持部３０の下面側には、手摺長手方向Ａに長い長溝状の凹部３６が形成されている。
また、各支持部３０には、この凹部３６の溝底から支持部３０の上面にかけて貫通形成されたネジ挿通孔３７と、ねじ込み孔３８とが形成されている。
ネジ挿通孔３７には、なべ小ネジからなる前記固定ネジ３１が下方側から挿通されている。
固定部材３２は各支持部３０の上面側に配置され、中心部分に下面から上面にかけて貫通形成されたネジ孔３９が設けられ、このネジ孔３９に前記固定ネジ３１が螺合されている。
【００２２】
この固定部材３２は、該固定部材３２の固定ネジ３１の軸心回りの回動が規制されていないときには固定ネジ３１と共に回動可能であり、また、該固定部材３２の固定ネジ３１の軸心回りの回動が規制（拘束）されている場合にあっては、固定部材３２に対して固定ネジ３１を螺進させることにより該固定部材３２が支持部３０に接近する方向（下方側）に移動し、固定部材３２に対して固定ネジ３１を螺退させることにより該固定部材３２が支持部３０から遠ざかる方向（上方側）に移動する。
また、固定部材３２は、固定ネジ３１の軸心に直交する方向の幅Ｗ４，Ｗ５のうち、一方向Ｂの幅Ｗ４に対して該一方向Ｂに直交する他方向Ｃの幅Ｗ５が幅広となる断面形状に形成されている。
【００２３】
また、固定部材３２の狭幅方向Ｂ（前記一方向Ｂ）の幅Ｗ４は、本体手摺り５の芯材８の溝開口部１７の溝幅Ｗ１よりも幅狭に形成されていて、図７に仮想線で示すように、固定部材３２の広幅方向Ｃ（前記他方向Ｃ）を本体手摺り５の芯材８の溝開口部１７の溝長手方向（手摺長手方向Ａ）に一致させると固定部材３２が前記切欠溝１８及び前記溝開口部１７を介して主溝部１５内に（図６で矢示Ｅで示す方向に）挿入することができる（固定部材３２を、係合溝２１内に該係合溝２１の開口溝２２を介して固定ネジ３１の軸心方向下方から上方へと挿入することができる）。
【００２４】
また、固定部材３２の広幅方向Ｃの幅Ｗ５は、芯材８の溝開口部１７の溝幅Ｗ１よりも幅広で且つ主溝部１５の溝幅Ｗ２より若干幅狭（又は同幅）に形成されている。
また、固定部材３２の広幅方向Ｃの端面の、固定ネジ３１のネジ込み方向Ｄ（以下単にネジ込み方向Ｄという）側の面３２ａは円弧面に形成されている。
これにより、固定部材３２をその広幅方向Ｃが手摺長手方向Ａに一致する状態から、固定ネジ３１をネジ込み方向Ｄに回動させることにより、固定部材３２が固定ネジ３１と一緒に回動して、図７に実線で示すように、広幅方向Ｃが手摺長手方向Ａに直交する状態となる。
【００２５】
また、固定部材３２をその広幅方向Ｃが手摺長手方向Ａに一致する状態からネジ込み方向Ｄに回動させることにより、固定部材３２が芯材８の溝開口部１７から下方に抜け出るのを芯材８の下壁１２が阻止することとなる。
したがって、この下壁１２の上面１２ａが、固定部材３２を係合溝２１に挿入した後に回動することにより固定部材３２の係合溝２１からの反挿入方向（固定部材３２の挿入方向Ｅとは反対側の方向）への抜け止めをする係合面とされている。
また、固定部材３２の広幅方向Ｃの端面のネジ込み方向Ｄとは反対側の面３２ｂは、広幅方向Ｃが手摺長手方向Ａに直交する状態において芯材８の側壁１０内面に近接しており、該状態から、固定ネジ３１をさらにネジ込み方向Ｄに回動すると、固定部材３２の広幅方向Ｃの端面のネジ込み方向Ｄとは反対側の面３２ｂが芯材８の側壁１０内面に接当し、これにより、固定部材３２の固定部材３２のネジ込み方向Ｄへの回動が規制される。
【００２６】
そして、固定部材３２のネジ込み方向Ｄへの回動が規制された状態で、固定ネジ３１をさらにネジ込み方向Ｄに回動させていくことにより、固定部材３２が下方側（反挿入方向）に移動する。
このとき、芯材受け部２９の上面２９ａが係合溝２１の上面に接当していて、本体手摺り５に対する第１取付ブラケット３Ａの固定部材挿入方向Ｅへの移動が規制されていることから、該固定部材３２が下壁１２の上面１２ａ、すなわち係合面１２ａに押し付けられる。
【００２７】
これによって、本体手摺り５が第１取付ブラケット３Ａの手摺取付部２４に固定される。
前記芯材受け部２９の上面２９ａが本体手摺り５に接当することにより該本体手摺り５に対する第１取付ブラケット３Ａの固定部材３２挿入方向への移動を規制する規制部とされている。
なお、前記支持部３０を規制部としてもよい。
また、前記ねじ込み孔３８に下方側からタッピングネジをねじ込んで、該タッピングねじの先端側を芯材８の上壁１１に押し付けることにより、本体手摺り５の第１取付ブラケット３Ａに対する固定を確実なものとすることができる。
【００２８】
前記第２取付ブラケット３Ｂは、図８に示すように、本体手摺り５を水平状態（手摺長手方向Ａが水平方向に一致する状態）に取り付けるのに使用されるものであり、手摺取付部２４が、芯材受け部２９、支持部３０、固定部材３２及び固定ネジ３１とから構成され、芯材受け部２９及び支持部３０が連結部２５に一体形成されている点、芯材受け部２９の形状が異なる点が第１取付ブラケット３Ａと異なるものであり、その他の点については第１取付ブラケット３Ａと略同様に構成されている（したがって、本体手摺り５の固定方法も同様である）。
【００２９】
図９，１０，１１に示すように、前記連結手摺り６は、樹脂製の芯材４１と、樹脂製のカバー４２（笠木）とから構成されている。
この連結手摺り６の芯材４１は、手摺長手方向Ａ両側の端部側の芯材セグメント４３（これを芯材端部セグメントという）と、これら芯材端部セグメント４３の間に手摺長手方向Ａに若干の間隔をおいて並べて配置された多数の中間部分の芯材セグメント４４（これを芯材中間セグメントという）と、芯材中間セグメント４４同士及び手摺長手方向Ａ両端側の芯材中間セグメント４４とこれに隣接する芯材端部セグメント４３とを連結する関節部４５と、手摺長手方向Ａ両端側に設けられた接続部４６とを有する。
【００３０】
芯材端部セグメント４３と芯材中間セグメント４４とは同じ断面形状に形成され、上下に溝４７，４８を有する。
芯材中間セグメント４４の手摺長手方向Ａの長さは、芯材端部セグメント４３の手摺長手方向Ａの長さに対してかなり短く形成されている。
前記関節部４５は、手摺長手方向Ａの軸心を有する円柱状とされていると共に手摺長手方向Ａに直交する方向に屈曲自在とされている。
また、この関節部４５は、芯材端部セグメント４３及び芯材中間セグメント４４の手摺長手方向Ａに直交する方向の中心部に位置する。
【００３１】
したがって、この連結手摺り６は芯材端部セグメント４３間で、手摺長手方向Ａに直交する方向のすべての方向（上下左右及び上下左右の間の斜め方向）に任意の屈曲角度で湾曲状に屈曲自在とされている。また、換言すると、連結手摺り６は、手摺長手方向Ａ両側が非屈曲とされ、手摺長手方向Ａ中間部分が屈曲自在とされている。
なお、この連結手摺り６は、手摺長手方向Ａの略全長にわたって屈曲自在とされていてもよい。
前記接続部４６は、各芯材端部セグメント４３の手摺長手方向Ａ外端面の中心部分から手摺長手方向Ａ外方に向けて突設されている。
【００３２】
また、この接続部４６の手摺長手方向Ａに直交する断面形状は本体手摺り５の芯材８の主溝部１５の断面形状に略一致する断面形状に形成され、該接続部４６を本体手摺り５の芯材８の主溝部１５内に差し込むことにより、連結手摺り６が本体手摺り５に連結される。
また、接続部４６には、上下方向に貫通するネジ込み孔４９が形成され、このネジ込み孔４９に下方側からタッピングネジ５０をねじ込んで、該タッピングネジ５０の先端を本体手摺り５の芯材８の上壁１１に押し付けることにより、接続部４６の主溝部１５からの抜け止めを図ることができるようになっている。
【００３３】
連結手摺り６のカバー４２は、前記本体手摺り５のカバー９と、同じ断面形状で且つ同径に形成され、前記芯材４１に外嵌されていると共に引掛け部１９が芯材セグメント４３，４４の下側の溝４８の側面に係合している。
この連結手摺り６のカバー４２は芯材４１の屈曲に追従するように可撓性を有している。
なお、各芯材セグメント４３，４４の手摺長手方向Ａに直交する方向の外面の、カバー４２内面に接当する部分は円弧状に形成されている。
【００３４】
前記構成の連結手摺り６にあっては、水平状に取り付けられる本体手摺り５に一方の接続部４６を差し込み、水平に対して傾斜状に取り付けられる本体手摺り５に他方の接続部４６を差し込むことにより、水平状の本体手摺り５と傾斜状の本体手摺り５とを連結することができると共に、該連結手摺り６は、傾斜状に取り付けられる本体手摺り５の傾斜角度に自在に対応することができる。
また、前記連結手摺長手方向６にあっては、芯材４１を樹脂によって形成することにより、前記芯材セグメント４３，４４、関節部４５及び接続部４６を成形型内で同時に成形でき、屈曲自在な芯材４１が容易に制作することができる。
【００３５】
前記ジョイントカバー７は、図１１に示すように、筒状に形成されていて、軸心方向一方側が本体手摺り５の端部側に外嵌され、該本体手摺り５の端部に連結される連結手摺り６の端部側に軸心方向他方側が外嵌されることにより、本体手摺り５と連結手摺り６との連結部分を被覆している。
また、ジョイントカバー７は、円筒形の周方向の一部分を軸心方向にわたって切り欠いてなる切欠溝５１が形成された一部切欠円筒状に形成されており、前記切欠溝５１は、本体手摺り５のカバー９及び連結手摺り６のカバー４２の切欠溝１８と略一致する溝幅に形成されていて、この切欠溝５１を介して、前述した連結手摺り６固定用のタッピングネジ５０の螺合操作が可能とされている。
【００３６】
なお、連結手摺り６を本体手摺り５に連結する際には、ジョイントカバー７の一方側を本体手摺り５の端部側に外嵌した状態で、連結手摺り６の端部側をジョイントカバー７の他方側に差し込むが、このジョイントカバー７への差し込みが容易となるように、連結手摺り６の手摺長手方向Ａの端部側が非屈曲とされている。
なお、前記手摺り４は本体手摺り５のみで構成されていてもよく、他の構造の連結手摺りを有するものであってもよい。
また、本体手摺り５は、直線状のものに限らず、長手方向中途部で所定角度屈曲されているものであってもよい。
【００３７】
なお、前記本体手摺り５は、直線状のものに限らず、長手方向中途部で所定角度屈曲されているものであってもよく、また、手摺り４は、他の構造の連結手摺りを有するものであってもよい。
【符号の説明】
【００３８】
２    壁
３Ａ  角度可変型の取付ブラケット
３Ｂ  角度不変型の取付ブラケット
４    手摺り
１２ａ  係合面
２１    係合溝
２２    開口溝
２９ａ  規制部
３０    支持部
３２    固定部材
３９    ネジ孔
Ａ    手摺長手方向
Ｄ    ネジ込み方向
Ｅ    固定部材挿入方向
【図１】
2010209612.tif 000003
【図２】
2010209612.tif 000004
【図３】
2010209612.tif 000005
【図４】
2010209612.tif 000006
【図５】
2010209612.tif 000007
【図６】
2010209612.tif 000008
【図７】
2010209612.tif 000009
【図８】
2010209612.tif 000010
【図９】
2010209612.tif 000011
【図１０】
2010209612.tif 000012
【図１１】
2010209612.tif 000013